(57)【特許請求の範囲】
【請求項１】
パイプ状の中空部材の端部に着脱可能に取り付けられる中空部材用フランジであって、中心に同心円状の穴を有する円板と、前記円板の穴から直接あるいはその穴から中心軸に沿って延びる中空円筒状挿入部材から片持ち状に中心軸に対して対称にかつ中心軸に沿う方向に延びた２つの撓み片とを備え、前記の２つの撓み片間に撓み片先端間を拡張したりその拡張を解除する機構を備えていて、全てプラスチックから一体成形されており、撓み片先端間を拡張した状態で前記の各撓み片の先端外側に設けた突起を中空部材端部の内面に係合させて前記中空部材用フランジをその中空部材端部に取り付け、撓み片先端間の拡張を解除した状態で前記中空部材用フランジをその中空部材端部から取り外し可能にすることを特徴とする中空部材用フランジ。
【請求項２】
長尺感光材料が巻き付けられたロール状感光材料の心棒の紙管の端部に着脱可能に取り付けられることを特徴とする請求項１記載の中空部材用フランジ。
【発明の詳細な説明】
【０００１】
【発明の属する技術分野】
本発明は、中空部材用フランジに関し、特に、長尺な印画紙、感光フィルムをロール状に巻き取った心棒の紙管等の端部に取り付ける中空部材用フランジに関する。
【０００２】
【従来の技術】
印画紙、感光フィルム等の帯状の長尺感光材料を紙管等からなる中空の心棒にロール状に巻き取って包装、搬送、装置への装着等が行われている。このロール状感光材料の保護、遮光、取り扱い易さ等のために、ロール状感光材料の中空の紙管の両端に円盤状のフランジが取り付けられる。
【０００３】
このフランジの取り付け方法としては、従来、実開平１−３８５８２号、実公平６−３１４６５号、特開平９−２１１８００号等のものが提案されている。実開平１−３８５８２号のものは、接着剤でフランジを中空の心棒に結合するものである。実公平６−３１４６５号では、フランジの中心に心棒の中空部内に挿入する挿入部材を設け、その挿入部材の外周に突起を設けてこの突起により中空の心棒にフランジ結合するものである。また、特開平９−２１１８００号においては、心棒の中空部内に軸方向にネジシャフトを通して両端のフランジを連結固定するものである。
【０００４】
【発明が解決しようとする課題】
ところで、このようなフランジは、通常プラスチックで形成する。ロール状感光材料の使用後、フランジが結合された紙管は廃棄されるが、プラスチックのフランジは紙管から取り外して分別廃棄しなけらばならない。
【０００５】
上記の実開平１−３８５８２号の場合は、両者が接着されているため、分離は容易ではない。実公平６−３１４６５号の場合は、突起が紙管に食い込みやはり分離は容易ではない。特開平９−２１１８００号の場合は、ネジシャフトを外すための工具を使用しなければならない。
【０００６】
このように、従来の方法は紙管等とフランジを確実に結合させることに主眼をおいており、取り外しの容易性あるいは廃棄性については余り考慮されておらず、一般ユーザーには簡便性の欠けるものであった。
【０００７】
本発明は従来技術のこのような問題点に鑑みてなされたものであり、その目的は、ロール状感光材料等を使い終わった後に、紙管等の中空部材とその端部に取り付けたフランジとを簡単に分離可能にした中空部材用フランジを提供することである。
【０００８】
【課題を解決するための手段】
上記目的を達成する本発明の中空部材用フランジは、パイプ状の中空部材の端部に着脱可能に取り付けられる中空部材用フランジであって、中心に同心円状の穴を有する円板と、前記円板の穴から直接あるいはその穴から中心軸に沿って延びる中空円筒状挿入部材から片持ち状に中心軸に対して対称にかつ中心軸に沿う方向に延びた２つの撓み片とを備え、前記の２つの撓み片間に撓み片先端間を拡張したりその拡張を解除する機構を備えていて、全てプラスチックから一体成形されており、撓み片先端間を拡張した状態で前記の各撓み片の先端外側に設けた突起を中空部材端部の内面に係合させて前記中空部材用フランジをその中空部材端部に取り付け、撓み片先端間の拡張を解除した状態で前記中空部材用フランジをその中空部材端部から取り外し可能にすることを特徴とするものである。
【００１３】
このような中空部材用フランジは、長尺感光材料が巻き付けられたロール状感光材料の心棒の紙管の端部に着脱可能に取り付けたり、金属パイプの端部に着脱可能に取り付けたりすることができる。
【００１４】
本発明においては、２つの撓み片間に撓み片先端間を拡張したりその拡張を解除する機構を備えており、撓み片先端間を拡張した状態で各撓み片の先端外側に設けた突起を中空部材端部の内面に係合させて中空部材用フランジをその中空部材端部に取り付け、撓み片先端間の拡張を解除した状態で中空部材用フランジをその中空部材端部から取り外し可能にするので、簡単なワンタッチ操作でフランジと中空部材とを分離でき、ロール状感光材料等を使い終わった後に、材質の異なる紙管等の中空部材とその端部に取り付けたフランジとを分離分別して廃棄ができる。
【００１５】
【発明の実施の形態】
以下、図面を参照にして本発明の中空部材用フランジを説明する。
図１は、本発明による中空部材用フランジ２０の１実施例の斜視図であり、図２は、図１の中心軸Ｏ−Ｏ’とそれに直交する直線Ａ−Ａ’を含む断面図である。この中空部材用フランジ２０は全てプラスチックから一体成形されており、中心に同心円状の穴２を有する円板（フランジ）１と、円板１の穴２から中心軸Ｏ−Ｏ’に沿って一定の長さ延びる中空の円筒状挿入部材３を含でいる。この円筒状挿入部材３の剛性を上げるために、円筒状挿入部材３の先端からは中心軸Ｏ−Ｏ’方向に、後記の撓み片６以外の部分にリング状部材４が延びている。また、円筒状挿入部材３の先端から中心軸Ｏ−Ｏ’に沿う方向に中心軸Ｏ−Ｏ’に対して対称に、挿入部材３の長さより短い同じ長さの４本のスリット５が切り込まれており、その中２本、残り２本のスリット５は相互に比較的近接しているため、その２本のスリット５間に撓み片６が２つ形成される。
【００１６】
この２つの撓み片６は、中心軸Ｏ−Ｏ’に対して対称に配置され、挿入部材３から中心軸Ｏ−Ｏ’に沿う方向に片持ち状に延びており、その先端に外向きあるいは内向きの力が加わったときに外向きあるいは内向きに撓むものである。そして、各撓み片６の先端の折り曲げ線７を介して突っ張り片８が接続されており、その突っ張り片８相互の先端は中心軸Ｏ−Ｏ’上で折り曲げ線９を介して相互に接続されている。各突っ張り片８の長さは、円筒状挿入部材３の半径より若干長く構成されている。なお、突っ張り片８先端相互は、折り曲げ線９を介して接続しなくても、あるいは、成形後又は使用中にこの折り曲げ線９を境にして分離可能に構成してもよい。
【００１７】
各撓み片６の先端の折り曲げ線７近傍には、中心軸Ｏ−Ｏ’から半径方向に外に向く突起１２が設けられており、また、各突っ張り片８の折り曲げ線９に接する先端には、円板１側とは反対側に向く突出片１０が設けられており、突出片１０の相互の向かい合う面を面１１とする。
さらに、撓み片６を含む円筒状挿入部材３の外周には大きなネジピッチの螺旋状のネジ突起１３が設けられている。このネジ突起１３の中心軸Ｏ−Ｏ’に沿う断面は、図２に示すように、挿入部材３先端から円板１側に外へ拡張する斜面１４とその斜面１４の円板１側で垂直に縮小する垂直面１５とからなるものである。
【００１８】
図３は、各撓み片６の先端に接続され、また、相互に先端で接続された突っ張り片８を、思案点を越えて円筒状挿入部材３の中に押し込んだ状態を示す図であり、この状態では、突っ張り片８の先端に設けられた突出片１０の相互の向かい合う面１１が相互に突き当たり、突っ張り片８は図３の角度以上には円筒状挿入部材３内には傾かないようになっている。そして、突っ張り片８の長さは円筒状挿入部材３の半径より若干長く設定されており、図３の状態で突っ張り片８の根元に接続された撓み片６が外向きに撓むような角度に突出片１０の面１１の突っ張り片８に対する角度が設定されている。
【００１９】
以上のような構成であるので、成形直後のこの実施例の中空部材用フランジ２０は、図１、図２のような形状をとっており、撓み片６の先端に接続され相互に折り曲げ線９を介して接続された突っ張り片８は、折り曲げ線７で円筒状挿入部材３から外に出るように曲がっている。この位置では、撓み片６は成形状態のままで、外向きにも内向きにも撓んでいない。この状態で突っ張り片８の突出片１０を中心軸Ｏ−Ｏ’に沿って円板１方向へ押すと、突っ張り片８は思案点を越えて図３の状態に落ち着き、撓み片６は外向きに撓んで拡張状態にあり、そのため、撓み片６の先端に設けられた突起１２も半径方向に拡張している。
【００２０】
図４に示すような、中空の紙管２１を心棒として印画紙、感光フィルム等の帯状の長尺感光材料２２を巻き付けたロール状感光材料２３の紙管２１の端部に、上記中空部材用フランジ２０を取り付けるには、中空部材用フランジ２０を図３の撓み片６が拡張した状態にして、図４に矢印で示した方向に中空部材用フランジ２０を挿入する。しかし、この状態では撓み片６が拡張しているので、矢印方向へ押し込むだけでは紙管２１の穴の中には中空部材用フランジ２０は入らない。そこで、中空部材用フランジ２０を右に回転させ、螺旋状のネジ突起１３を利用してロール状感光材料２３の紙管２１内にねじ込む。
【００２１】
ロール状感光材料２３の紙管２１内に拡張状態の中空部材用フランジ２０をねじ込んで取り付けた状態を示すのが図５である。この状態では、ネジ突起１３を利用したねじ込みの結果、撓み片６の拡張は無理やり縮小され、突っ張り片８は図示のように多少撓んで曲げられており、また、撓み片６先端の突起１２及びネジ突起１３は紙管２１の内面に食い込んでいる。したがって、中空部材用フランジ２０はロール状感光材料２３の紙管２１に固く取り付けられ、外れることはない。
【００２２】
なお、図４の状態で、中空部材用フランジ２０を図２の撓み片６の縮小状態でねじ込んで取り付けることも可能であるが、ねじ込み後に突っ張り片８を図５の状態へ引き戻し、撓み片６先端の突起１２を拡張させて紙管２１内面へ食い込ますことが必ずしも容易でない場合があるので、条件によって何れかを選べばよい。
【００２３】
図５の状態で感光材料２２を使い切ると、図６（ａ）に示すように、紙管２１は感光材料２２の巻回力が解放されるため、若干拡張する。また、拡張状態の撓み片６の力によっても紙管２１は若干拡張する。この状態では、突っ張り片８の撓みによる曲がりも真っ直ぐになり、紙管２１内面には撓み片６先端の突起１２が若干食い込んでいる。この状態で、図６（ｂ）に矢印で示すように、円板１の穴２から指を挿入して、中心軸Ｏ−Ｏ’に沿う方向へ突っ張り片８を押すと、思案点を越えて図２の状態になる。この状態では、撓み片６の拡張は解除され、撓み片６先端の突起１２の紙管２１内面への食い込みもなくなる。この状態では、中空部材用フランジ２０の紙管２１への固着は解除されるので両者を容易に分離できる。突起１２及びネジ突起１３が紙管２１内面にまだ食い込んでいる場合は、中空部材用フランジ２０を中心軸Ｏ−Ｏ’の周りで左に回転させることにより容易に取り外せる。
【００２４】
以上は、本発明の中空部材用フランジ２０をロール状感光材料２３の紙管２１の端部に取り付け、取り外しする例であったが、本発明の中空部材用フランジ２０はこれに限定されるものではなく、他の中空部材の端部に用いるフランジとしても利用可能である。図７は金属パイプ３１の端面に取り付ける樹脂フランジとして利用する例の断面図である。作用は上記実施例と同じあるが、金属パイプ３１の場合には拡張状態において撓み片６の先端に設けられた突起１２が食い込む穴あるいは窪み３２を金属パイプ３１の所定位置に設ける必要がある。
【００２５】
さらに、本発明の実施態様について説明する。
円筒挿入部材３は、外周の直径が一定であってもよいが、図８（ｂ）に示すように、挿入方向に向かってその直径が小さくなっていてもよい。
【００２６】
また、螺旋状のネジ突起１３は、図８（ａ）に示すように、挿入方向に向かってその高さを減じるようにしてもよいが、一定の高さであってもよい。
【００２７】
さらに、螺旋状のネジ突起１３は、図８（ａ）に示すように、円板１から最も遠い先端部では、円筒挿入部材３の外周部から徐々に高さが高くなる（円板１に向かって）ようにする方が挿入が容易になるので、好ましい。
【００２８】
円筒挿入部材３は、図８（ｂ）に示すように、挿入方向に向かってその直径が小さくなり、かつ、螺旋状のネジ突起１３が挿入方向に向かってその高さが徐々に高くなり、ネジ突起１３の外周が先端部を除いて一定になるようにするのが望ましい。
【００２９】
撓み片６の先端部に設けられた突起１２は、点状の突起でもよいが、撓み片６の幅方向に沿う線状の突起でもよい（図１）。
【００３０】
突っ張り片８は、その強度を得るために、長手方向に沿ってリブを設けてもよい（図９）。
また、突っ張り片８の幅は適宜選択できる。
【００３１】
突っ張り片８の形状については、図９に示すパラメータが下記のような範囲になるのが好ましい。
パラメータ        推奨範囲
δ            ０．３〜１ｍｍ
ｌ1 −ｌ0       ０．１〜１．０ｍｍ
θ0           １０〜４５°
θ1           ２θ0 ＋０〜３０°
ｔ            剛性を上げる場合はリブにて補強                。
【００３２】
以外に、具体的な実施例の数値をあげる。
カーボンブラックを含有したポリスチレン樹脂を用いて図８（ｂ）の形状のフランジを一体成形した。突っ張り片８は下記のような寸法で成形した。
パラメータ
δ            ０．５ｍｍ
ｌ1 −ｌ0       ０．７５ｍｍ（２５．７５−２５ｍｍ）
θ0           １５°
θ1           ４０°
ｔ            ２ｍｍ
突っ張り片８の幅は２０ｍｍにした。突起１２は幅は２０ｍｍの線状の突起とした。
このフランジを厚さ２ｍｍの紙管に感光材料をロール状に巻いた後、上記フランジを押し込んで挿入するようにした。
【００３３】
以上、本発明の中空部材用フランジを実施例に基づいて説明してきたが、本発明はこれら実施例に限定されず種々の変形・用途が可能ある。
【００３４】
【発明の効果】
以上の説明から明らかなように、本発明の中空部材用フランジによると、２つの撓み片間に撓み片先端間を拡張したりその拡張を解除する機構を備えており、撓み片先端間を拡張した状態で各撓み片の先端外側に設けた突起を中空部材端部の内面に係合させて中空部材用フランジをその中空部材端部に取り付け、撓み片先端間の拡張を解除した状態で中空部材用フランジをその中空部材端部から取り外し可能にするので、簡単なワンタッチ操作でフランジと中空部材とを分離でき、ロール状感光材料等を使い終わった後に、材質の異なる紙管等の中空部材とその端部に取り付けたフランジとを分離分別して廃棄ができる。
【図面の簡単な説明】
【図１】本発明による中空部材用フランジの１実施例の斜視図である。
【図２】図１の中空部材用フランジの断面図である。
【図３】突っ張り片を押し込んだ状態の断面図である。
【図４】図１の中空部材用フランジをロール状感光材料の端部に取り付ける前の断面図である。
【図５】図１の中空部材用フランジをロール状感光材料の端部に取り付けた状態の断面図である。
【図６】図１の中空部材用フランジを取り外す操作を説明するための図である。
【図７】別の実施例である金属パイプ用樹脂フランジを取り付けた状態の断面図である。
【図８】本発明の種々の実施態様を説明するための図である。
【図９】突っ張り片の形状に関するパラメータを示すための図である。
【符号の説明】
Ｏ−Ｏ’…中心軸
Ａ−Ａ’…中心軸に直交する直線
１…円板（フランジ）
２…穴
３…中空円筒状挿入部材
４…リング状部材
５…スリット
６…撓み片
７…折り曲げ線
８…突っ張り片
９…折り曲げ線
１０…突出片
１１…突出片の対向（当接）面
１２…突起
１３…ネジ突起
１４…ネジ突起の斜面
１５…ネジ突起の垂直面
２０…中空部材用フランジ
２１…中空紙管
２２…長尺感光材料
２３…ロール状感光材料
３１…金属パイプ
３２…穴又は窪み
【図１】
0003859341.tif 000002
【図２】
0003859341.tif 000003
【図３】
0003859341.tif 000004
【図４】
0003859341.tif 000005
【図５】
0003859341.tif 000006
【図６】
0003859341.tif 000007
【図７】
0003859341.tif 000008
【図８】
0003859341.tif 000009
【図９】
0003859341.tif 000010